(57)【要約】【課題】設置場所の自由度の高いマイナスイオン発生器を新規に提供する。【解決手段】マイナスイオンを発生する鉱石からなるマイナスイオン発生粒体２を、空気流入口３１ａおよび空気流出口３２ａが形成されたケーシング３内に収容して構成する。これによれば、マイナスイオンの発生源として鉱石を採用しているので、電源を不要にでき、設置場所の自由度を高めることができる。さらに、空気流入口３１ａおよび空気流出口３２ａがケーシング３に形成されているので、マイナスイオン発生粒体２周囲に風流れを生じさせることができ、マイナスイオン発生粒体２周囲の空気のマイナスイオン濃度が高くなることを抑制できる。よって、マイナスイオン発生粒体２からのマイナスイオンの発生を促進でき、マイナスイオン発生量を増大させることができる。【選択図】　　　　図３
2004045003.tif 000002
【特許請求の範囲】
【請求項１】
マイナスイオンを発生する鉱石からなるマイナスイオン発生粒体（２）を、空気流入口（３１ａ）および空気流出口（３２ａ）が形成されたケーシング（３）内に収容して構成したことを特徴とするマイナスイオン発生器。
【請求項２】
前記マイナスイオン発生粒体（２）は、前記鉱石の粉体にセラミック粉体を混合して焼結することにより成形されていることを特徴とする請求項１に記載のマイナスイオン発生器。
【請求項３】
前記鉱石は酸化ウランであることを特徴とする請求項１または２に記載のマイナスイオン発生器。
【請求項４】
前記ケーシング（３）には、前記ケーシング（３）を所定の場所に固定するクリップ（４）が備えられていることを特徴とする請求項１ないし３のいずれか１つに記載のマイナスイオン発生器。
【請求項５】
車両の車室内に空調風を吹き出す吹出グリルに設置されるようになっていることを特徴とする請求項１ないし４のいずれか１つに記載のマイナスイオン発生器。
【発明の詳細な説明】
【０００１】
【発明の属する技術分野】
本発明は、マイナスイオン発生器に関するものである。
【０００２】
【従来の技術および発明が解決しようとする課題】
従来、電子針に電圧を印可してマイナスイオンを発生させるマイナスイオン発生器があるが、電源を必要とするため、設置場所が電源供給可能な場所に限られてしまうといった問題があった。
本発明は、上記点に鑑み、設置場所の自由度の高いマイナスイオン発生器を新規に提供することを目的とする。
【０００３】
【課題を解決するための手段】
上記目的を達成するため、請求項１に記載の発明では、マイナスイオンを発生する鉱石からなるマイナスイオン発生粒体（２）を、空気流入口（３１ａ）および空気流出口（３２ａ）が形成されたケーシング（３）内に収容して構成したことを特徴としている。
これによれば、マイナスイオンの発生源として鉱石を採用しているので、電源を不要にでき、設置場所の自由度を高めることができる。また、マイナスイオン発生粒体（２）をケーシング（３）内に収容しているので、マイナスイオン発生粒体（２）をケーシング（３）で保護できるとともに、マイナスイオン発生器の設置場所への取付性を向上できる。
さらに、空気流入口（３１ａ）および空気流出口（３２ａ）がケーシング（３）に形成されているので、マイナスイオン発生粒体（２）周囲に風流れを生じさせることができ、マイナスイオン発生粒体（２）周囲の空気のマイナスイオン濃度が高くなることを抑制できる。よって、マイナスイオン発生粒体（２）からのマイナスイオンの発生を促進でき、マイナスイオン発生量を増大させることができる。
【０００４】
また、請求項２に記載の発明では、マイナスイオン発生粒体（２）は、鉱石の粉体にセラミック粉体を混合して焼結することにより成形されていることを特徴とするので、マイナスイオン発生粒体（２）の成形を容易にできる。
【０００５】
また、上記鉱石の具体例として、ウラン、トルマリン、磁鉄鋼等が挙げられるが、請求項３に記載の発明のように酸化ウランを用いて好適である。
【０００６】
また、請求項４に記載の発明では、ケーシング（３）にクリップ（４）を備えることを特徴としているので、所望の場所にクリップ（４）でマイナスイオン発生器（）を取り付けることを容易にできる。
【０００７】
なお、上記請求項１ないし４のいずれか１つに記載のマイナスイオン発生器を、請求項５に記載のように、車両の車室内に空調風を吹き出す吹出グリルに設置するようにして好適である。
【０００８】
【発明の実施の形態】
以下、本発明の一実施形態を図に基づいて説明する。
図１はマイナスイオン発生器１を示す斜視図、図２は図１のＡ矢視図、図３は図２のＢ−Ｂ断面図、図４は図２のＣ−Ｃ断面図である。そして、図３および図４に示すように、マイナスイオン発生器１はマイナスイオン発生粒体２をケーシング３内に収容して構成されている。
【０００９】
マイナスイオン発生粒体２は、酸化ウランの粉末にセラミックの粉末を混合して焼結することにより球体に成形されている。酸化ウランは、マイナスイオンを発生する周知の鉱石であり、電圧の印可等を必要とすることなく自らマイナスイオンを発生するものである。
【００１０】
ケーシング３は、樹脂成形されたケース本体３１およびケース蓋体３２を接着剤等により接合して形成されており、ケース本体３１には複数の空気流入口３１ａが形成され、ケース蓋体３２には複数の空気流出口３２ａが形成されている。また、ケース本体３１の内側には、マイナスイオン発生粒体２が填め込まれる凹部３１ｂが形成されている。
【００１１】
また、ケース本体３１には、ケーシング３を所定の場所に固定するクリップ４が脱着可能に挿入されて取り付けられる鍵形状の取付穴３１ｃ、３１ｄが形成されている。そして、取付穴の大開口部３１ｃにクリップ４の取付座４ａを挿入し、その後、クリップ４を小開口部３１ｄにスライドさせることによりクリップ４がケース本体３１に固定されるようになっている。因みに、図２ではクリップ４を省略している。
【００１２】
以上により、本実施形態のマイナスイオン発生器１によれば、マイナスイオン発生粒体２からマイナスイオンが自然に発生するので、マイナスイオン発生器１の電源を不要にでき、マイナスイオン発生器１の設置場所の自由度を高めることができる。
【００１３】
そして、ケーシング３に形成された空気流入口３１ａから空気流出口３２ａへ、自然対流または強制対流により空気が流れるので、マイナスイオン発生粒体２周囲の空気のマイナスイオン濃度が高くなることを抑制できる。よって、マイナスイオン発生粒体２からのマイナスイオンの発生を促進でき、マイナスイオン発生量を増大させることができる。
なお、本実施形態のマイナスイオン発生器１は、車両の車室内に空調風を吹き出す吹出グリル、扇風機のカバーその他の空気流れが生じる場所に設置して好適である。
【００１４】
（他の実施形態）
上記実施形態では、マイナスイオン発生粒体２を酸化ウランとセラミックとで構成しているが、本発明の実施にあたり、マイナスイオン発生粒体２は、マイナスイオンを発生するウラン、トルマリン、磁鉄鋼その他の鉱石を少なくとも有していればよい。
【図面の簡単な説明】
【図１】本発明の一実施形態に係るマイナスイオン発生器の斜視図である。
【図２】図１のＡ矢視図である。
【図３】図２のＢ−Ｂ断面図である。
【図４】図２のＣ−Ｃ断面図である。
【符号の説明】
１…マイナスイオン発生器、２…マイナスイオン発生粒体、３…ケーシング、
３１ａ…空気流入口、３１ｂ…空気流出口。
【図１】
2004045003.tif 000003
【図２】
2004045003.tif 000004
【図３】
2004045003.tif 000005
【図４】
2004045003.tif 000006